【事件の表示】
　特願２００１−２６７１９７「見当制御装置のプリセット方法」拒絶査定不服審判事件〔平成１５年　３月１２日出願公開、特開２００３−　７２０３４〕について、次のとおり審決する。
【結　論】
　本件審判の請求は、成り立たない。
【理　由】
１．手続の経緯
　本願は、平成１３年９月４日に出願したものであって、拒絶理由に対応して平成１８年９月２２日付けで手続補正がなされたが、平成１９年３月１日付けで拒絶査定がなされるとともに、同年５月７日付けで明細書についての手続補正がなされたものである。
　その後、平成２１年３月１７日付けで、審判請求人に前置報告書の内容を示し意見を求めるための審尋を行ったところ、応答がなかったものである。
　
２．本願発明
　本願請求項１〜６に係る発明は、平成１９年５月７日付け手続補正で補正された特許請求の範囲の請求項１〜６に記載された事項により特定されるものであり、その請求項３に係る発明（以下、「本願発明」という。）は、以下のとおりである。
「予め設定したゲート位置信号に従って、走行するウェブ上に複数の見当調整マークが所定の間隔で印刷されるように調整する見当制御装置のプリセット方法において、
　第１色及び第２色の見当調整マークに対応するゲート位置を基準として、第３色以降の色に対応するゲート位置を算出する第１の過程と、
　第１の過程における算出結果に基づいて前記第３色以降の色のゲート位置をプリセットする過程と、
　を備え、
　前記ウェブの流れ方向とは垂直の方向において第１色からそれ以降の色の見当調整マークが順に印刷される場合あるいは最終色からそれ以前の色の見当調整マークが順に印刷される場合、基準点からの前記第１色または前記最終色の見当調整マークのゲート位置をＸとすると、前記第１色または前記最終色以外の色のゲート位置はＸであることを特徴とする見当制御装置のプリセット方法。」
　
３．引用刊行物
　原査定の拒絶の理由に引用された刊行物である特開昭６１−２９５４６号公報（以下、「刊行物」という。）には、以下の記載が図示とともにある。
　ア．「印刷物に所定間隔で印刷されたレジスタマークをレジスタマークパルスとして抽出し、このレジスタマークパルスにより、印刷物における印刷位置を自動的に制御する自動見当合せ装置において、レジスタマークパルスの１周期を多数分割する絶対位置分割器からの信号と、所定パルス巾設定器の出力信号とを比較し、その出力により、レジスタマークパルスの１周期ごとに所定幅のパルスを出力し、該出力パルスにより、レジスタマークパルスを抽出することを特徴とする自動見当合せ装置におけるゲート信号作成方法。」（特許請求の範囲請求項１）
　イ．「第５図は、本発明に係る自動見当合せ装置を備えた輪転機で、この輪転機は、４対の版胴１，２，３，４と圧胴５，６，７，８を有する４色刷りのものであり、各版胴１，２，３，４を、メインモータ３０と連動連結した駆動シャフト１６によって同期して駆動されているとともに、各対の版胴と圧胴との間を通過する印刷物（ウエブ）９をアンワインド２４から供給しかつリワインド２５により巻取っており、また、各対の版胴と圧胴の下流に印刷物９を乾燥する乾燥ローラ２６，２７，２８，２９を配設している。
　自動見当合せ装置は、前述した如く見当ずれを自動的に制御するもので、後述のコンペンセイタローラを操作する操作部４４と、操作部４４に制御信号を送出するコントロール部４５と、コントロール部４５にレジスタマークパルス信号を送出すべく印刷物９かつ（審決注：「から」の誤記と認められる。）レジスタマークパルスを抽出する抽出部４６とからなる。
　すなわち、操作部４４は、相隣る版胴１，２，３，４間の印刷物９の長さを調整するもので、第１色目から第３色目までの乾燥ローラ２６，２７，２８の下流に図示矢印の方向へ移動自在に配置したコンペンセイタローラ２１，２２，２３と、それぞれのコンペンセイタローラを移動すべく個別に配設したコレクションモータ１８，１９，２０とからなる。
　また、コントロール部４５は、あらかじめ所定間隔に定められたレジスタマークの間隔と、レジスタマークパルスの間隔を比較し、両者の差異に基づいて制御信号を送するもので、各コレクションモータ１８、１９，２０に対応した数だけのコントローラ１３，１４，１５からなる。
　さらに、抽出部４６は、第２色目から第４色目までの版胴２，３，４の下流にしてかつ対応する乾燥ローラ２７，２８，２９の上流に配置したスキャニングヘッド１０，１１，１２と、駆動シャフト１６に連結した絶対位置分割器４７と、各スキャニングヘッド１０，１１，１２と絶対位置分割器４７の出力を入力してレジスタマークパルスをコントロール部４５ヘ送出するサブコントローラ４８とからなる。
　絶対位置分割器４７は、第６図ａ、ｂに示すように、駆動シャフト１６に取付けた円板４９と、円板４９を挾持するが如くしてその径方向へ対向配置した１２対の発光素子５０と受光素子５１とからなり、円板３１には、各発光素子５０からの光線を通過せしめるべく第６図ｂにおいて黒色の部分を切欠いて形成した穴５２を設けてある。
　発光素子５０と受光素子５１の数は、１回転を何分割するかによって決定されるもので、第７図には、１回転を１０００分割した場合で、コード方式をＢＣＤ方式とした例を示してあり、この場合の出力数は、２２〜２２×１００までの１２本となる。
　そして、各スキャニングヘッド１０（１１，１２）によって検出した出力信号Ｓ１は、第８図に示すように、サブコントローラ４８のＡＮＤ回路５３へ送出される。
　一方、絶対位置分割器４７からの出力は、サブコントローラ４８の第１比較器（コンパレータ）５４と第２比較器５５に与えられる。そして、マイクロプロセッサユニット（ＭＰＵ）５６は、ゲート信号（所定幅のパルス）設定器５７とゲート信号幅設定器５８のデータを読みとり、第１，第２比較器５４，５５へゲート信号開始番地とゲート信号閉止番地を設定する。
　第１比較器５４の一致信号出力は、所定幅のパルス（ゲート信号）を出力するフリップフロップ（回路手段）５９のクロック入力Ｃへ接続され、また、第２比較器５５の一致信号出力は、フリップフロップ５９のリセット入力Ｒへ接続されている。そして、フリップフロップ５９の出力Ｑは、前記ＡＮＤ回路５３へ接続されている。
　今、レジスタマークが、第９図に示すように、レジスタマークが１１２〜１１４番地の間にあるときは、サブコントローラ４８のゲート信号設定器５７へ１１３を、ゲート信号幅設定器５８へ０３を設定すればよい。
　上記設定によりＭＰＵ５６は、第２入出力ポート６０を介してこれを読み取り、１１３番地を中心にして３番地分のゲート信号（第９図Ｃ参照）Ｇができるように第１入出カポート（Ｉ／０１）６１を介して第１比較器５４のＢ入力へ１１２、第２比較器５５のＢ入力へ１１５を出力する。
　そして、絶対位置分割器４７のデータが１１２になると第１比較器５４のＡ入力とＢ入力は一致し、このとき一致出力が発生してフリップフロップの出力Ｑはハイレベルになり、ＡＮＤ回路５３の禁止が解かれてスキャニングヘッド１０からの出力（第９図ａ参照）Ｓのうちレジスタマークパルス（第９図ｄ参照）Ｒをコントロール部４５のコントローラ１３へ出力する。
　また、絶対位置分割器４７のデータが１１５になると、第２比較器５５のＡ入力とＢ入力は一致し、このとき一致出力が発生してプリップフロップ５９の出力Ｑはローレベルに戻り、ＡＮＤ回路５３は禁止状態となり、スキャニングヘッド１０からの信号を出力しなくなる。
　したがって、レジスタマークの存在する１１２〜１１４番地の間においてのみレジスタマークパルスのみを抽出することができるのである。」
　ウ．図９から、ウェブの流れ方向とは垂直の方向に４つのレジスタマークが印刷されることが看取できる。
　エ．図５から、第２〜４色目の版胴２〜４の下流にスキャニングヘッド１０〜１２が設けられているものの、第１色目の版胴１の下流にスキャニングヘッドが設けられていないことが看取できる。
　
　よって、上記記載及び図面を含む刊行物全体の記載から、刊行物には、以下の発明が開示されていると認められる。
　
「４対の版胴１，２，３，４と圧胴５，６，７，８を有し、各対の版胴と圧胴との間に印刷物（ウエブ）９を通過させる４色刷り輪転機の自動見当合せ装置において、
　自動見当合せ装置は、印刷物に所定間隔で印刷されたレジスタマークをレジスタマークパルスとして抽出し、このレジスタマークパルスにより、印刷物における印刷位置を自動的に制御し、レジスタマークパルスの１周期を多数分割する絶対位置分割器４７からの信号と、所定パルス巾設定器の出力信号とを比較し、その出力により、レジスタマークパルスの１周期ごとに所定幅のパルスを出力し、該出力パルスにより、レジスタマークパルスを抽出するものであり、
　コンペンセイタローラを操作する操作部４４と、操作部４４に制御信号を送出するコントロール部４５と、コントロール部４５にレジスタマークパルス信号を送出すべく印刷物９からレジスタマークパルスを抽出する抽出部４６とからなり、
　コントロール部４５は、あらかじめ所定間隔に定められたレジスタマークの間隔と、レジスタマークパルスの間隔を比較し、両者の差異に基づいて制御信号を送するもので、
　抽出部４６は、第２色目から第４色目までの版胴２，３，４の下流に配置したスキャニングヘッド１０，１１，１２と、駆動シャフト１６に連結した絶対位置分割器４７と、各スキャニングヘッド１０，１１，１２と絶対位置分割器４７の出力を入力してレジスタマークパルスをコントロール部４５ヘ送出するサブコントローラ４８とからなり、
　サブコントローラ４８のマイクロプロセッサユニット（ＭＰＵ）５６は、ゲート信号（所定幅のパルス）設定器５７とゲート信号幅設定器５８のデータを読みとり、第１，第２比較器５４，５５へゲート信号開始番地とゲート信号閉止番地を設定するもので、
　前記レジスタマークは、ウェブの流れ方向とは垂直の方向に４つ印刷されるものであり、
　レジスタマークが絶対位置分割器４７の１１２〜１１４番地の間にあるときは、サブコントローラ４８のゲート信号設定器５７へ１１３を、ゲート信号幅設定器５８へ０３を設定することにより、１１３番地を中心にして３番地分のゲート信号Ｇができるようにする自動見当合せ装置におけるゲート信号作成方法。」（以下、「引用発明」という。）
　
４．対比
　本願発明と引用発明とを比較すると、引用発明の「『出力パルス』及び『ゲート信号Ｇ』」、「印刷物（ウエブ）９」、「レジスタマーク」、「自動見当合せ装置」及び「『ゲート信号開始番地とゲート信号閉止番地』及び『１１３番地を中心にして３番地分』によって定まる位置」は、それぞれ本願発明の「ゲート位置信号」、「ウェブ」、「見当調整マーク」、「見当制御装置」及び「ゲート位置」に相当する。
　引用発明の「自動見当合せ装置」は、「印刷物に所定間隔で印刷されたレジスタマークをレジスタマークパルスとして抽出し、このレジスタマークパルスにより、印刷物における印刷位置を自動的に制御し、レジスタマークパルスの１周期を多数分割する絶対位置分割器からの信号と、所定パルス巾設定器の出力信号とを比較し、その出力により、レジスタマークパルスの１周期ごとに所定幅のパルスを出力し、該出力パルスにより、レジスタマークパルスを抽出するもの」であるから、予め設定したゲート位置信号に従って、走行するウェブ上に複数の見当調整マークが所定の間隔で印刷されるように調整するものであるといえる。
　引用発明は「レジスタマークが絶対位置分割器４７の１１２〜１１４番地の間にあるときは、サブコントローラ４８のゲート信号設定器５７へ１１３を、ゲート信号幅設定器５８へ０３を設定することにより、１１３番地を中心にして３番地分のゲート信号Ｇができるようにする」ものであり、「サブコントローラ４８」は、「スキャニングヘッド１０，１１，１２と絶対位置分割器４７の出力を入力してレジスタマークパルスをコントロール部４５ヘ送出する」ものであるから、本願発明の「第１色及び第２色の見当調整マークに対応するゲート位置を基準として、第３色以降の色に対応するゲート位置を算出する第１の過程と、第１の過程における算出結果に基づいて前記第３色以降の色のゲート位置をプリセットする過程と、を備え」る構成とは、「見当調整マークに対応するゲート位置を算出する過程と、算出結果に基づいてゲート位置をプリセットする過程」を備えている点で共通する。
　引用発明は「レジスタマークは、ウェブの流れ方向とは垂直の方向に４つ印刷されるものであり、レジスタマークが絶対位置分割器４７の１１２〜１１４番地の間にあるときは、サブコントローラ４８のゲート信号設定器５７へ１１３を、ゲート信号幅設定器５８へ０３を設定することにより、１１３番地を中心にして３番地分のゲート信号Ｇができるようにする」ものであるから、本願発明の「前記ウェブの流れ方向とは垂直の方向において第１色からそれ以降の色の見当調整マークが順に印刷される場合あるいは最終色からそれ以前の色の見当調整マークが順に印刷される場合、基準点からの前記第１色または前記最終色の見当調整マークのゲート位置をＸとすると、前記第１色または前記最終色以外の色のゲート位置はＸである」と、「ウェブの流れ方向とは垂直の方向において見当調整マークが印刷される場合、ゲート位置は特定される」点で一致する。
　引用発明は、「ゲート信号開始番地とゲート信号閉止番地を設定する」から、見当制御装置のプリセット方法であるといえる。
　よって、両者は、
「予め設定したゲート位置信号に従って、走行するウェブ上に複数の見当調整マークが所定の間隔で印刷されるように調整する見当制御装置のプリセット方法において、
　見当調整マークに対応するゲート位置を算出する過程と、
　算出結果に基づいてゲート位置をプリセットする過程と、
　を備え、
　前記ウェブの流れ方向とは垂直の方向において見当調整マークが印刷される場合、ゲート位置は特定される見当制御装置のプリセット方法。」
の点で一致し、以下の点で相違している。
［相違点１］本願発明は、「第１色及び第２色の見当調整マークに対応するゲート位置を基準として、第３色以降の色に対応するゲート位置を算出する第１の過程と、第１の過程における算出結果に基づいて前記第３色以降の色のゲート位置をプリセットする過程」とを備えると特定されているのに対し、引用発明は、何を基準としているか明らかでない点。
［相違点２］本願発明は、「ウェブの流れ方向とは垂直の方向において第１色からそれ以降の色の見当調整マークが順に印刷される場合あるいは最終色からそれ以前の色の見当調整マークが順に印刷される場合、基準点からの前記第１色または前記最終色の見当調整マークのゲート位置をＸとすると、前記第１色または前記最終色以外の色のゲート位置はＸである」と特定されているのに対し、引用発明のレジスタマークは、ウェブの流れ方向とは垂直の方向に印刷されるものの、どのような順で印刷されるか明らかでなく、ゲート位置は特定されるものの、本願発明のようなものであるか否か明らかでない点。
　
５．判断
　上記相違点１について検討する。
　引用発明は「レジスタマークが絶対位置分割器４７の１１２〜１１４番地の間にあるときは、サブコントローラ４８のゲート信号設定器５７へ１１３を、ゲート信号幅設定器５８へ０３を設定する」ものであるが、該「レジスタマーク」が「スキャニングヘッド１０，１１，１２」の内、いずれのスキャニングヘッドで検出した信号を基準にしたか明らかではない。一方、引用発明の「サブコントローラ４８」は、「各スキャニングヘッド１０，１１，１２と絶対位置分割器４７の出力を入力」するもの、即ち、３つのスキャニングヘッド１０，１１，１２の情報がサブコントローラ４８に入力されているものである。また、「レジスタマークは、ウェブの流れ方向とは垂直の方向に４つ印刷される」ものであり、「コントロール部４５は、あらかじめ所定間隔に定められたレジスタマークの間隔と、レジスタマークパルスの間隔を比較し、両者の差異に基づいて制御信号を送するもの」であるから、ゲート信号を設定する過程において、絶対位置分割器４７の出力情報に対する３つのスキャニングヘッド１０，１１，１２で検出したレジスタマーク情報は、いずれも同様に機能するといえる。見当合わせの際、迅速にその調整を行うことは自明の課題であるから、ゲート信号を作成する際、「スキャニングヘッド１０，１１，１２」の内、最も早く入手できる情報である第２色目の版胴２の下流に配置したスキャニングヘッド１０で検出したレジスタマーク情報を基にゲート信号を決定することは当業者が容易になし得る程度のことである。
　そして、引用発明は「コントロール部４５は、あらかじめ所定間隔に定められたレジスタマークの間隔と、レジスタマークパルスの間隔を比較し、両者の差異に基づいて制御信号を送するもの」であるから、ウェブの流れ方向で最も上流位置にあるスキャニングヘッド１０でレジスタマーク情報を検出する際には、第１色のレジスタマーク情報を有していることは明らかであるから、第１色及び第２色の見当調整マークに対応するゲート位置を基準とすることは、当業者が適宜採用し得る設計事項に過ぎない。
　引用発明は、「レジスタマークは、ウェブの流れ方向とは垂直の方向に４つ印刷される」ものであるから、第３色以降の色に対応するゲート位置は、第１色及び第２色の見当調整マークに対応するゲート位置と同じに設定すべきことは、当業者であれば容易に首肯し得ることである。
　よって、本願発明の上記相違点１のような構成とすることは当業者が容易になし得る程度のことである。
　
　上記相違点２について検討する。
　引用発明のレジスタマークは、ウェブの流れ方向とは垂直の方向に印刷されるものの、どのような順で印刷されるか明らかでないが、どのような順で印刷されるにしても、ウェブの流れ方向とは垂直の方向に印刷されるものであるから、絶対位置分割器４７の基準番地に対して全てのゲート信号の位置は同じに設定すべきことは、当業者であれば容易に首肯し得ることである。
　よって、本願発明の上記相違点２のような構成とすることは当業者が容易になし得る程度のことである。
　
　以上のとおりであるから、本願発明の相違点１、２に係る構成は、引用発明に基づいて当業者が容易に想到することができたものであり、それにより得られる効果も当業者が予測できる範囲のものである。
　
６．むすび
　以上のとおり、本願発明は、引用発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。